【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
柔軟な画像ディスプレイ・レイヤと、タッチ・センシティブな触覚的ディスプレイ・レイヤとを含むタッチ・センシティブな画像ディスプレイと、
前記柔軟な画像ディスプレイ・レイヤのピクセルの選択的な活動化／非活動化を制御して前記柔軟な画像ディスプレイ・レイヤ上の視覚的画像のレンダリングを容易にする第１のディスプレイ・ドライバと、
前記タッチ・センシティブな触覚的ディスプレイ・レイヤのピストンを制御して、レンダリングされた視覚的画像から触覚的に改良して選択したものへの、前記柔軟な画像ディスプレイ・レイヤの異なる部分からの相補的であり選択的である触覚的な突き出しを容易にする第２のディスプレイ・ドライバと、
を含む対話型装置。
【請求項２】
前記触覚改良視覚的画像が動的に形成された非永続的な（ＤＦＮＰ）入力キーを含む請求項１に記載の装置。
【請求項３】
前記ＤＦＮＰ入力キーが、各々が１つまたは複数のＤＦＮＰ入力キーを有する複数のＤＦＮＰ入力キー・グループの１つの選択を容易にするＤＦＮＰ入力キー・グループ選択キーを含む請求項２に記載の装置。
【請求項４】
前記ＤＦＮＰ入力キー・グループが、ＤＦＮＰアルファベット入力キー・グループ、ＤＦＮＰ数字キー・グループ、ＤＦＮＰパンクチュエーション入力キー・グループ、ＤＦＮＰ特殊文字入力キー・グループ、ＤＦＮＰファンクション・キー・グループの少なくとも２つを含む請求項３に記載の装置。
【請求項５】
前記ＤＦＮＰ入力キーがＤＦＮＰアルファベット入力キーとＤＦＮＰ数字キーから選択されたものを含む請求項２に記載の装置。
【請求項６】
前記ＤＦＮＰ入力キーがＤＦＮＰパンクチュエーション入力キーとＤＦＮＰ特殊文字入力キーから選択されたものを含む請求項２に記載の装置。
【請求項７】
前記ＤＦＮＰ入力キーがＤＦＮＰファンクション・キーを含む請求項２に記載の装置。
【請求項８】
前記ＤＦＮＰファンクション・キーがＤＦＮＰ上キー、ＤＦＮＰ下キー、ＤＦＮＰ左キー、ＤＦＮＰ右キーから選択されたものである請求項７に記載の装置。
【請求項９】
前記ＤＦＮＰファンクション・キーがＤＦＮＰページ・アップ・キーとＤＦＮＰページ・ダウン・キーから選択されたものである請求項７に記載の装置。
【請求項１０】
前記ＤＦＮＰファンクション・キーがＤＦＮＰスタート・キー、ＤＦＮＰストップ・キー、ＤＦＮＰフォワード・キー、ＤＦＮＰリバース・キーから選択されたものである請求項７に記載の装置。
【請求項１１】
前記ＤＦＮＰファンクション・キーがＤＦＮＰ選択キー、ＤＦＮＰチャネル・アップ／ダウン・キー、ＤＦＮＰボリューム・アップ／ダウン・キー、ＤＦＮＰボリューム・ミュート・キーから選択されたものである請求項７に記載の装置。
【請求項１２】
前記ＤＦＮＰファンクション・キーが前記装置によって制御される複数のデバイスの１つの選択を容易にするＤＦＮＰデバイス選択キーである請求項７に記載の装置。
【請求項１３】
前記ＤＦＮＰファンクション・キーがＤＦＮＰコール・キーとＤＦＮＰエンド・コール・キーからから選択されたものである請求項７に記載の装置。
【請求項１４】
前記触覚改良視覚的画像がユーザ選択可能メニュー項目とユーザ選択可能なリスト項目から選択されたものを含む請求項１に記載の装置。
【請求項１５】
前記装置は、前記第１と第２のデバイス・ドライバに通信可能に結合されて、前記触覚改良視覚的画像のレンダリングにおけるアプリケーションを容易にするグラフィックス機能の集合をさらに含む請求項１に記載の装置。
【請求項１６】
レンダリングする前記触覚改良視覚的画像を指定する画像指定に少なくとも部分的に基いて、レンダリングする前記触覚改良視覚的画像の複数のピクセル・データとピストン・データを生成する少なくとも１つのグラフィックス機能が装備された請求項１５に記載の装置。
【請求項１７】
前記画像指定が、
レンダリングする前記視覚的画像の識別と、
前記レンダリングされた視覚的画像の触覚的な改良のための１つまたは複数の触覚的な属性を指定する１つまたは複数の触覚的属性指定とを含む請求項１６に記載の装置。
【請求項１８】
前記触覚的な属性が、触覚的なピン高さ属性、触覚的なピン・パターン属性、触覚的なピン硬度属性から選択された少なくとも１つを含む請求項１７に記載の装置。
【請求項１９】
前記触覚的な属性が、触覚的なピン高さ属性、触覚的なピン・パターン属性、触覚的なピン硬度属性の少なくとも２つを含む請求項１７に記載の装置。
【請求項２０】
前記触覚的な属性が、触覚的なピン高さ属性、触覚的なピン・パターン属性、触覚的なピン硬度属性を少なくとも含む請求項１７に記載の装置。
【請求項２１】
前記装置がユーザによる触覚改良視覚的画像の選択を検出する第３のデバイス・ドライバをさらに含む請求項１に記載の装置。
【請求項２２】
前記第２と第３のデバイス・ドライバが同じデバイス・ドライバである請求項２１に記載の装置。
【請求項２３】
前記装置がマルチデバイス・リモート制御装置、パーソナル・ディジタル・アシスタント、無線移動電話機から選択される請求項１に記載の装置。
【請求項２４】
前記装置がパームサイズのコンピュータ、タブレット・コンピュータ、ラップトップ・コンピュータ、デスクトップ・コンピュータ、セットトップ・ボックス、メディア・プレーヤから選択される請求項１に記載の装置。
【請求項２５】
触覚改良視覚的画像をレンダリングするグラフィックス動作の要求を受信するステップと、
これに応答して、レンダリングする前記触覚改良視覚的画像の複数のピクセル・データとピストン・データを生成するステップとを含むマシンで実施できるコンピューティング方法。
【請求項２６】
前記生成ステップが、レンダリングする前記触覚改良視覚的画像を指定する画像指定に少なくとも部分的に基づいて、レンダリングする前記触覚改良視覚的画像の複数のピクセル・データとピストン・データを生成するステップを含む請求項２５に記載の方法。
【請求項２７】
前記画像指定が、
レンダリングする前記視覚的画像の識別と、
前記レンダリングされた視覚的画像の触覚的な改良のための１つまたは複数の触覚的な属性を指定する１つまたは複数の触覚的属性指定とを含む請求項２６に記載の方法。
【請求項２８】
前記触覚的な属性が、触覚的なピン高さ属性、触覚的なピン・パターン属性、触覚的なピン硬度属性から選択された少なくとも１つを含む請求項２７に記載の方法。
【請求項２９】
前記触覚的な属性が、触覚的なピン高さ属性、触覚的なピン・パターン属性、触覚的なピン硬度属性の少なくとも２つを含む請求項２７に記載の装置。
【請求項３０】
前記触覚的な属性が、触覚的なピン高さ属性、触覚的なピン・パターン属性、触覚的なピン硬度属性を含む請求項２７に記載の方法。
【請求項３１】
前記生成されたピクセル・データを用いて前記視覚的画像をレンダリングするステップと、
前記生成されたピストン・データを用いて前記レンダリングされた視覚的画像を触覚的に改良するステップとをさらに含む請求項２５に記載の方法。
【請求項３２】
レンダリングする視覚的画像の識別と、
前記レンダリングされた視覚的画像の触覚的な改良のための１つまたは複数の触覚的な属性を指定する１つまたは複数の触覚的属性指定とを含むマシン可読画像指定。
【請求項３３】
前記触覚的な属性が、触覚的なピン高さ属性、触覚的なピン・パターン属性、触覚的なピン硬度属性から選択された少なくとも１つを含む請求項３２に記載の画像指定。
【請求項３４】
前記触覚的な属性が、触覚的なピン高さ属性、触覚的なピン・パターン属性、触覚的なピン硬度属性の少なくとも２つを含む請求項３２に記載の画像指定。
【請求項３５】
前記触覚的な属性が、触覚的なピン高さ属性、触覚的なピン・パターン属性、触覚的なピン硬度属性を含む請求項３２に記載の画像指定。
【請求項３６】
レンダリングする視覚的画像の複数のピクセル・データと、
前記レンダリングされた視覚的画像を触覚的に改良する複数のピストン・データとを含むデータ構造体。
【請求項３７】
前記ピストン・データが前記レンダリングされた視覚的画像の前記触覚的な改良の１つまたは複数の触覚的な属性に従って生成される請求項３６に記載のデータ構造体。
【請求項３８】
前記触覚的な属性が、触覚的なピン高さ属性、触覚的なピン・パターン属性、触覚的なピン硬度属性から選択された少なくとも１つを含む請求項３７に記載のデータ構造体。
【請求項３９】
前記触覚的な属性が、触覚的なピン高さ属性、触覚的なピン・パターン属性、触覚的なピン硬度属性の少なくとも２つを含む請求項３７に記載のデータ構造体。
【請求項４０】
前記触覚的な属性が、触覚的なピン高さ属性、触覚的なピン・パターン属性、触覚的なピン硬度属性を含む請求項３７に記載のデータ構造体。
【請求項４１】
触覚改良画像を表示するディスプレイ手段と、
ピクセルの選択的な活動化／非活動化を制御して画像のレンダリングを容易にする第１の制御手段と、
前記レンダリングされた画像から選択された画像の相補的であり選択的である触覚的な改良を制御する第２の制御手段とを含む装置。